【事件の表示】
　特許第３２３３１００号「コンバインの穀稈搬送装置」の請求項１に係る特許に対する特許異議の申立てについて、次のとおり決定する。
【結　論】
　訂正を認める。
　特許第３２３３１００号の請求項１に係る特許を維持する。
【理　由】
１．手続の経緯
　本件特許第３２３３１００号の請求項１に係る発明（以下、「本件発明」という。）についての出願は、平成２年１０月２６日に特許出願された特願平２−２９０３８０号の一部を、平成１０年５月１１日に新たな特許出願とし、平成１３年９月２１日にその発明について特許権の設定登録がなされ、この特許に対し、平成１４年５月２３日に異議申立人　ヤンマー農機株式会社より特許異議の申立てがなされ、取消し理由を通知したところ、平成１４年１０月２８日に特許異議意見書と訂正請求書が提出され、異議申立人から回答書が提出されたものである。
　
２．訂正請求について
２-1．訂正の内容
　特許権者が求めている訂正の内容は、特許明細書を上記手続補正で補正された訂正明細書のとおりに訂正しようとするものである（下線部が訂正個所である）。
（１）訂正事項ａ
　特許請求の範囲の【請求項１】（本件特許公報２欄１〜２行）に記載された「刈取部の下部左右方向下部横伝動軸から立ち上がる側部横伝動軸」を「刈取部の下部左右方向
の
縦
（２）訂正事項ｂ
　特許請求の範囲の【請求項１】（同公報２欄４〜６行）に記載された「軸の上端部に取付け、前記中央上部の穂先側搬送機構は、その穀稈搬送路が機体の略前後方向に配置されている」を、
　「軸の上端部に取付け、
エンジンから動力が伝達される刈取入力軸を設けた機体側から前方下方に伸びる支持伝動パイプの下部に前記下部横伝動軸を軸装した下部横伝動パイプを取付けて、刈取入力軸の動力を支持伝動パイプ内の縦伝動軸を介して前記下部横伝動軸に伝達し、下部横伝動パイプの側端部に前記側部縦伝動軸を軸装した上方に起立する側部縦伝動パイプの下部を取付けると共に、該側部縦伝動パイプの上部のボックスに前記上部横伝動軸を軸装した上部横伝動パイプの側端部を取付けて、前記下部横伝動軸の動力を前記側部縦伝動軸を経由して前記上部横伝動軸に伝達する構成とし、
（３）訂正事項ｃ
　特許明細書の段落【０００４】の記載を、「【課題を解決するための手段】
　本発明の上記課題は次の構成によって達成される。すなわち、複数条の穀稈を引き起こす穀稈引起し装置と、該穀稈引起し装置により引き起こされた複数条の穀稈を刈り取る刈刃と、該刈刃により刈り取られた穀稈を脱穀装置側へ搬送する穂先側搬送装置と株元側搬送装置とを具備するコンバインの刈取部において、前記複数の引起し装置を連動して駆動する上部横伝動軸を引起し装置の上方に配置し、前記複数の引起し装置を上部横伝動軸から下向きに設けた下向き伝動軸を介して駆動すると共に、前記穂先側搬送装置に、左側部の条の穀稈上部を搬送する左側上部の穂先側搬送機構と、中央部の条の穀稈上部を搬送する中央上部の穂先側搬送機構と、右側部の条の穀稈上部を搬送する右側上部の穂先側搬送機構とを設け、前記右側上部の穂先側搬送機構を前記下向き伝動軸から下向きに設けた伝動軸を介して駆動する一方、前記左側上部の穂先側搬送機構は、刈取部の下部左右方向
の
縦
エンジンから動力が伝達される刈取入力軸を設けた機体側から前方下方に伸びる支持伝動パイプの下部に前記下部横伝動軸を軸装した下部横伝動パイプを取付けて、刈取入力軸の動力を支持伝動パイプ内の縦伝動軸を介して前記下部横伝動軸に伝達し、下部横伝動パイプの側端部に前記側部縦伝動軸を軸装した上方に起立する側部縦伝動パイプの下部を取付けると共に、該側部縦伝動パイプの上部のボックスに前記上部横伝動軸を軸装した上部横伝動パイプの側端部を取付けて、前記下部横伝動軸の動力を前記側部縦伝動軸を経由して前記上部横伝動軸に伝達する構成とし、
（４）訂正事項ｄ
　特許明細書の段落【００１１】（同公報４欄３３行）に記載された「側部横伝動軸３３内には」を、「側部
縦
（５）訂正事項ｅ
特許明細書の段落【００１５】（同公報５欄１７行）に記載された「側面視三角形状のボックス５１を否定し、」を、「側面視三角形状のボックス５１を
固
（６）訂正事項ｆ
　特許明細書の段落【００３１】の記載を、「【発明の効果】
　本発明は前述のごとく、複数条の穀稈を引き起こす穀稈引起し装置と、該穀稈引起し装置により引き起こされた複数条の穀稈を刈り取る刈刃と、該刈刃により刈り取られた穀稈を脱穀装置側へ搬送する穂先側搬送装置と株元側搬送装置とを具備するコンバインの刈取部において、前記複数の引起し装置を連動して駆動する上部横伝動軸を引起し装置の上方に配置し、前記複数の引起し装置を上部横伝動軸から下向きに設けた下向き伝動軸を介して駆動すると共に、前記穂先側搬送装置に、左側部の条の穀稈上部を搬送する左側上部の穂先側搬送機構と、中央部の条の穀稈上部を搬送する中央上部の穂先側搬送機構と、右側部の条の穀稈上部を搬送する右側上部の穂先側搬送機構とを設け、前記右側上部の穂先側搬送機構を前記下向き伝動軸から下向きに設けた伝動軸を介して駆動する一方、前記左側上部の穂先側搬送機構は、刈取部の下部左右方向
の
縦
エンジンから動力が伝達される刈取入力軸を設けた機体側から前方下方に伸びる支持伝動パイプの下部に前記下部横伝動軸を軸装した下部横伝動パイプを取付けて、刈取入力軸の動力を支持伝動パイプ内の縦伝動軸を介して前記下部横伝動軸に伝達し、下部横伝動パイプの側端部に前記側部縦伝動軸を軸装した上方に起立する側部縦伝動パイプの下部を取付けると共に、該側部縦伝動パイプの上部のボックスに前記上部横伝動軸を軸装した上部横伝動パイプの側端部を取付けて、前記下部横伝動軸の動力を前記側部縦伝動軸を経由して前記上部横伝動軸に伝達する構成とし、
　
２-2．訂正の適否
（１）訂正事項ａ、ｄ及びｅについて
　上記訂正事項ａは、「下部左右方向下部横伝動軸」を「下部左右方向
の
縦
縦
固
（２）訂正事項ｂについて
　上記訂正事項ｂは、本件請求項１に係る発明において、構成要件「エンジンから動力が伝達される刈取入力軸を設けた機体側から前方下方に伸びる支持伝動パイプの下部に前記下部横伝動軸を軸装した下部横伝動パイプを取付けて、刈取入力軸の動力を支持伝動パイプ内の縦伝動軸を介して前記下部横伝動軸に伝達し、下部横伝動パイプの側端部に前記側部縦伝動軸を軸装した上方に起立する側部縦伝動パイプの下部を取付けると共に、該側部縦伝動パイプの上部のボックスに前記上部横伝動軸を軸装した上部横伝動パイプの側端部を取付けて、前記下部横伝動軸の動力を前記側部縦伝動軸を経由して前記上部横伝動軸に伝達する構成」を新たに付加するものであるから、特許請求の範囲の減縮を目的とするものである。そして、この構成については、特許明細書の段落【００１１】ないし【００１６】及び図３に記載されているので、訂正事項ｂによる訂正は願書に添付した明細書又は図面に記載した事項の範囲内においてするものであって新規事項を追加するものでなく、かつ、実質上特許請求の範囲を拡張し、又は変更するものではない。
（３）訂正事項ｃ及びｆについて
　上記訂正事項ｃ及びｆは、発明の詳細な説明の記載を訂正後の特許請求の範囲の記載と整合させるための訂正であるから、訂正事項ｃ及びｆによる訂正は明りょうでない記載の釈明を目的とするものである。
　そして、訂正事項ｃ及びｆによる訂正は願書に添付した明細書又は図面に記載した事項の範囲内においてするものであって新規事項を追加するものでなく、かつ、実質上特許請求の範囲を拡張し、又は変更するものではない。
２-3．むすび
　以上のとおりであるから、上記訂正は、特許法等の一部を改正する法律（平成６年法律第１１６号）附則第６条第１項の規定によりなお従前の例によるとされる、特許法第１２０条の４第３項において準用する平成６年法律第１１６号による改正前の特許法第１２６条第１項ただし書、第２項及び第３項の規定に適合するので、当該訂正を認める。
　
３．特許異議申立てについて
３-1．特許異議申立ての理由の概要
　本件請求項１に係る発明は、下記の甲第１号証ないし甲第３号証の３に記載された発明に基いて当業者が容易に発明をすることができたものであるから、その特許は特許法第２９条第２項の規定に違反してされたものである。
　　　　　　　　　　　　　　　記
　甲第１号証：特開平２−３５０１７号公報
　甲第２号証：特開平１−１７１４０８号公報
　甲第３号証の１：特開昭５８−１１１６０８号公報
　甲第３号証の２：特開昭６４−１３９１０号公報
　甲第３号証の３：実開昭６２−１０２３２２号公報
　
３-2．本件発明
　上記「２．訂正請求について」で示したように上記訂正が認められるから、本件請求項１に係る発明（以下、「本件発明」という。）は、訂正後の特許明細書における特許請求の範囲に記載された次のとおりのものである。
　「複数条の穀稈を引き起こす穀稈引起し装置と、該穀稈引起し装置により引き起こされた複数条の穀稈を刈り取る刈刃と、該刈刃により刈り取られた穀稈を脱穀装置側へ搬送する穂先側搬送装置と株元側搬送装置とを具備するコンバインの刈取部において、前記複数の引起し装置を連動して駆動する上部横伝動軸を引起し装置の上方に配置し、前記複数の引起し装置を上部横伝動軸から下向きに設けた下向き伝動軸を介して駆動すると共に、前記穂先側搬送装置に、左側部の条の穀稈上部を搬送する左側上部の穂先側搬送機構と、中央部の条の穀稈上部を搬送する中央上部の穂先側搬送機構と、右側部の条の穀稈上部を搬送する右側上部の穂先側搬送機構とを設け、前記右側上部の穂先側搬送機構を前記下向き伝動軸から下向きに設けた伝動軸を介して駆動する一方、前記左側上部の穂先側搬送機構は、刈取部の下部左右方向の下部横伝動軸から立ち上がる側部縦伝動軸の上下中間位置から内側に突出させて設けた側部横伝動軸に設けた側部取付パイプ内に設けた軸の上端部に取付け、エンジンから動力が伝達される刈取入力軸を設けた機体側から前方下方に伸びる支持伝動パイプの下部に前記下部横伝動軸を軸装した下部横伝動パイプを取付けて、刈取入力軸の動力を支持伝動パイプ内の縦伝動軸を介して前記下部横伝動軸に伝達し、下部横伝動パイプの側端部に前記側部縦伝動軸を軸装した上方に起立する側部縦伝動パイプの下部を取付けると共に、該側部縦伝動パイプの上部のボックスに前記上部横伝動軸を軸装した上部横伝動パイプの側端部を取付けて、前記下部横伝動軸の動力を前記側部縦伝動軸を経由して前記上部横伝動軸に伝達する構成とし、前記中央上部の穂先側搬送機構は、その穀稈搬送路が機体の略前後方向に配置されていることを特徴とする穀稈搬送装置。」
　
３-3．甲号各証等記載の発明
（１）甲第１号証（特開平２−３５０１７号公報）には、以下の事項が記載されている。
（１-a）「第６図に本発明に係る投入型コンバインの全体側面が示される。・・・
　前記刈取部(Ｂ)は、刈取前処理装置(５)と、オーガ(６)と、３個の回転胴(7A)〜(7C)を有する掻き上げ装置(７)とからなる。植立穀稈を刈取前処理装置(５)によって引き起こしてその着粒部を刈り取り、刈り取られた着粒部をオーガ(６)によって刈幅中間に搬送して寄せ集め、集められた着粒部を掻き上げ装置(７)によって搬送経路(Ｒ)を通して後上方に搬送し、軸流型脱穀装置(Ｃ)に供給するようになっている。」（２頁左下欄２０行〜同頁右下欄１５行）、
（１-b）「前記刈取前処理装置(５)は、第２図に示すように、６条の植立穀稈を立姿勢に引き起こす引起し装置(９)と、引き起こされた植立穀稈の株元を切断する第１刈取装置(10)と、第１刈取装置(10)により刈り取られた６条の穀稈を立姿勢のまま挟持搬送し、且つ２条ずつ合流させる挟持搬送装置(11)と、挟持搬送装置(11)によって搬送されてきた穀稈の着粒部の下方部位を切断する第２刈取装置(12)などからなる。」（２頁右下欄１６行〜３頁左上欄４行）、
（１-c）「前記挟持搬送装置(11)の終端側の上方部位には、穂先係止搬送装置(22)を設けてある。この穂先係止搬送装置(22)は、後述する断面六角形状の第２駆動軸(31)に沿って上下に移動調節できる構造になっている。第２刈取装置(12)によって切断された着粒部を、この穂先係止搬送装置(22)の係止爪(22a)によって後方に案内しながら内側に横倒しし、オーガ(６)に放り込んでいく。」（３頁左下欄７〜１５行）、
（１-d）「次に、刈取前処理装置(５)の伝動構造について簡単に説明する。
　第２図に示すように、・・・静油圧式無段変速装置(HST)の出力軸(27)を、引起し装置(９)の上端に配備された引起し駆動軸(28)に、伝動ベルト(Ｖ)を介して連動連結してある。また、引起し駆動軸(28)に、各引起し装置(９)に対応した縦向きの伝動軸(29)をベベルギヤ連結してあり、この縦向きの伝動軸(29)の下端に、引起し装置(９)用の第１駆動軸(30)と、穂先係止搬送装置(22)用の第２駆動軸(31)をベベルギヤ連結してある。更に、第２駆動軸(31)の下端に挟持搬送装置(11)用の第３駆動軸(32)をベベルギヤ連結してあり、挟持搬送装置(11)には第１・第２刈取装置(10)，(12)用の第４駆動軸(33)を連動連結してある。
　前記縦向きの伝動軸(29)と第２駆動軸(31)の連結部、第２駆動軸(31)と第３駆動軸(32)の連結部は、両方ともベベルギヤケース(34)，(35)に収めてある。これらのベベルギヤケース(34)，(35)は、引起し駆動軸(28)のケース(36)と分草フレーム(17)とによって支持された縦フレーム(37)に固定してある。」（３頁右下欄１０行〜４頁上段左欄１３行）。
　上記記載及び図面の記載によると、甲第１号証には、複数条の穀稈を引き起こす引起し装置(９)と、該穀稈引起し装置により引き起こされた複数条の穀稈を刈り取る第１刈取装置(10)及び第２刈取装置(12)と、該刈取装置により刈り取られた穀稈を脱穀装置側へ搬送する穂先係止搬送装置(22)と挟持搬送装置(11)とを具備する刈取前処理装置(５)と、オーガ(６)と、掻き上げ装置(７)とからなる、投入型コンバインの刈取部(Ｂ)において、前記複数の引起し装置(９)を連動して駆動する引起し駆動軸(28)を引起し装置(９)の上端に配備し、前記複数の引起し装置(９)を引起し駆動軸(28)から下向きに設けた伝動軸(29)を介して駆動すると共に、前記穂先係止搬送装置(22)に、左側部の条の穀稈上部を搬送する左側上部の穂先係止搬送装置(22)と、中央部の条の穀稈上部を搬送する中央上部の穂先係止搬送装置(22)と、右側部の条の穀稈上部を搬送する右側上部の穂先係止搬送装置(22)とを設け、前記右側上部、左側上部及び中央上部の穂先係止搬送装置(22)を前記下向き伝動軸(29)から下向きに設けた第２駆動軸(31)を介して駆動する一方、エンジンから動力は伝動ベルト(Ｖ)によって引起し駆動軸(28)に伝達されるように構成され、前記中央上部の穂先係止搬送装置(22)は、その穀稈搬送路が機体の略前後方向に配置されている投入型コンバインの刈取前処理装置（以下、「甲第１号証の発明」という。）が記載されていると認められる。
（２）甲第２号証（特開平１−１７１４０８号公報）には、コンバインにおいて、左側支持パイプ16の上下中間位置で内側にケース45を突出させ、ケース45に支持する左側上部のスターホイール44を、刈取部の下部左右方向に位置する横軸27から立ち上がる左回転軸29の上下中間位置からスプロケット40、42とチェーン43によって駆動する構成が記載されている。
（３）甲第３号証の１（特開昭５８−１１１６０８号公報）、甲第３号証の２（特開昭６４−１３９１０号公報）及び甲第３号証の３（実開昭６２−１０２３２２号公報）には、コンバインにおいて、左側部、中央部及び右側部の穂先側搬送装置を設け、中央上部の穂先側搬送装置（甲第３号証の１においては、第３図の中央最上段の回転パッカー１１ａが、甲第３号証の２においては、第２図に示される中央の穂先側搬送装置が、甲第３号証の３においては、第１図に示される穂先送り用の掻き込み輪体Ｄがこれに対応する。）の穀稈搬送路を機体の略前後方向に配置した構成が記載されている。
（４）実開昭６３−８６７２７号公報（異議申立人が回答書で提出）には、引起し装置の下方に位置する下部横伝動軸に動力伝達し、下部横伝動軸から車体左側の伝動ケース１０に内装された伝動軸１１を介して引起し装置の上方に配置した横向きの駆動軸１２に動力伝達し、伝動軸１５を介して引起し装置３を駆動する構成が記載されている。
　
３-4．対比・判断
　本件発明と甲第１号証の発明とを対比すると、甲第１号証の発明における「引起し装置（９）」、「第１刈取装置(10)及び第２刈取装置(12)」、「穂先係止搬送装置（22）」、「挟持搬送装置（11）」、「引起し駆動軸（28）」及び「伝動軸（29）」が、本件発明における「穀稈引起し装置」、「刈刃」、「穂先側搬送装置」、「株元側搬送装置」、「上部横伝動軸」及び「下向き伝動軸」に対応している。
　そうすると、本件発明と甲第１号証の発明とは、複数条の穀稈を引き起こす穀稈引起し装置と、該穀稈引起し装置により引き起こされた複数条の穀稈を刈り取る刈刃と、該刈刃により刈り取られた穀稈を脱穀装置側へ搬送する穂先側搬送装置と株元側搬送装置とを具備するコンバインの刈取部において、前記複数の引起し装置を連動して駆動する上部横伝動軸を引起し装置の上方に配置し、前記複数の引起し装置を上部横伝動軸から下向きに設けた下向き伝動軸を介して駆動すると共に、前記穂先側搬送装置に、左側部の条の穀稈上部を搬送する左側上部の穂先側搬送機構と、中央部の条の穀稈上部を搬送する中央上部の穂先側搬送機構と、右側部の条の穀稈上部を搬送する右側上部の穂先側搬送機構とを設け、前記右側上部の穂先側搬送機構を前記下向き伝動軸から下向きに設けた伝動軸を介して駆動する一方、前記中央上部の穂先側搬送機構は、その穀稈搬送路が機体の略前後方向に配置されている穀稈搬送装置で一致し、次の点で構成が相違する。
（Ａ）本件発明では、「右側上部の穂先側搬送機構を前記下向き伝動軸から下向きに設けた伝動軸を介して駆動する一方、前記左側上部の穂先側搬送機構は、刈取部の下部左右方向の下部横伝動軸から立ち上がる側部縦伝動軸の上下中間位置から内側に突出させて設けた側部横伝動軸に設けた側部取付パイプ内に設けた軸の上端部に取付け」ているのに対して、甲第１号証の発明では、右側上部及び左側上部の穂先側搬送機構（穂先係止搬送装置（22））を伝動軸（29）から下向きに設けた第２駆動軸（31）を介して駆動している点、
（Ｂ）本件発明では、「エンジンから動力が伝達される刈取入力軸を設けた機体側から前方下方に伸びる支持伝動パイプの下部に前記下部横伝動軸を軸装した下部横伝動パイプを取付けて、刈取入力軸の動力を支持伝動パイプ内の縦伝動軸を介して前記下部横伝動軸に伝達し、下部横伝動パイプの側端部に前記側部縦伝動軸を軸装した上方に起立する側部縦伝動パイプの下部を取付けると共に、該側部縦伝動パイプの上部のボックスに前記上部横伝動軸を軸装した上部横伝動パイプの側端部を取付けて、前記下部横伝動軸の動力を前記側部縦伝動軸を経由して前記上部横伝動軸に伝達する構成とし」ているのに対して、甲第１号証の発明では、刈取部(Ｂ)が、オーガ(６)、掻き上げ装置(７)とからなっていて、下部横伝動軸が設けられておらず、エンジンからの動力を伝動ベルト（Ｖ）によって引起し上部横伝動軸（駆動軸（28））に伝動している点。
　上記相違点（Ａ）について検討すると、甲第２号証ないし甲第３号証の３には、右側上部の穂先側搬送機構を下向き伝動軸から下向きに設けた伝動軸を介して駆動する一方、左側上部の穂先側搬送機構は、刈取部の下部左右方向の下部横伝動軸から立ち上がる側部縦伝動軸の上下中間位置から内側に突出させて設けた側部横伝動軸に設けた側部取付パイプ内に設けた軸の上端部に取付ける構成は記載されておらず、且つ、示唆されてもいない。
　また、上記相違点（Ｂ）について検討すると、甲第１号証の発明は、投入型コンバインであって、刈取部(Ｂ)にオーガ(６)を有するものであり、下部横伝動軸を設けることができないものであるから、下部横伝動軸から車体左側の伝動ケースに内装された伝動軸を介して引起し装置の上方に配置した横向きの駆動軸に伝動することが公知（上記実開昭６３−８６７２７号公報参照）であるとしても、上記相違点（Ｂ）における本件発明の構成は当業者が容易に想到できるものではない。
　そして、本件発明は、特許明細書記載の効果を奏するものであるから、本件発明が、甲第１号証ないし甲第３号証の３に記載された発明に基いて当業者が容易に発明をすることができたものであるとすることはできない。
　
３-5．むすび　
　以上のとおりであるから、特許異議の申立ての理由によっては本件発明についての特許を取り消すことはできない。
　また、他に本件発明についての特許を取り消すべき理由を発見しない。
　したがって、本件発明についての特許は拒絶の査定をしなければならない特許出願に対してされたものと認めない。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１６年３月２４日（２００４．３．２４）
【訂正の要旨】
審決（決定）の【理由】欄参照。
（５４）【発明の名称】
コンバインの穀稈搬送装置
（５７）【特許請求の範囲】
　【請求項１】複数条の穀稈を引き起こす穀稈引起し装置と、該穀稈引起し装置により引き起こされた複数条の穀稈を刈り取る刈刃と、該刈刃により刈り取られた穀稈を脱穀装置側へ搬送する穂先側搬送装置と株元側搬送装置とを具備するコンバインの刈取部において、前記複数の引起し装置を連動して駆動する上部横伝動軸を引起し装置の上方に配置し、前記複数の引起し装置を上部横伝動軸から下向きに設けた下向き伝動軸を介して駆動すると共に、前記穂先側搬送装置に、左側部の条の穀稈上部を搬送する左側上部の穂先側搬送機構と、中央部の条の穀稈上部を搬送する中央上部の穂先側搬送機構と、右側部の条の穀稈上部を搬送する右側上部の穂先側搬送機構とを設け、前記右側上部の穂先側搬送機構を前記下向き伝動軸から下向きに設けた伝動軸を介して駆動する一方、前記左側上部の穂先側搬送機構は、刈取部の下部左右方向
の
縦
エンジンから動力が伝達される刈取入力軸を設けた機体側から前方下方に伸びる支持伝動パイプの下部に前記下部横伝動軸を軸装した下部横伝動パイプを取付けて、刈取入力軸の動力を支持伝動パイプ内の縦伝動軸を介して前記下部横伝動軸に伝達し、下部横伝動パイプの側端部に前記側部縦伝動軸を軸装した上方に起立する側部縦伝動パイプの下部を取付けると共に、該側部縦伝動パイプの上部のボックスに前記上部横伝動軸を軸装した上部横伝動パイプの側端部を取付けて、前記下部横伝動軸の動力を前記側部縦伝動軸を経由して前記上部横伝動軸に伝達する構成とし、
【発明の詳細な説明】
　【０００１】
　【発明の属する技術分野】
　本発明は、コンバインの穀稈搬送装置に係るものである。
　【０００２】
　【従来の技術】
　従来、コンバインの穀稈搬送装置において、左側部の条の穀稈上部を搬送する左側上部の穂先側搬送機構と、中央部の条の穀稈上部を搬送する中央上部の穂先側搬送機構と、右側部の条の穀稈上部を搬送する右側上部の穂先側搬送機構とを設け、前記中央上部の穂先側搬送機構は、その穀稈搬送路が機体の略前後方向に配置されていなかった。
　【０００３】
　【発明が解決しようとする課題】
　中央上部の穂先側搬送機構において、その穀稈搬送路が機体の略前後方向に配置されていなかったので、穀稈の搬送がスムーズに実行されず、また、その穀稈搬送路の下手側において、穀稈の引継ぎを実行する際に、スムーズな引継ぎが実行されないという不具合があった。
　【０００４】
　【課題を解決するための手段】
　本発明の上記課題は次の構成によって達成される。すなわち、複数条の穀稈を引き起こす穀稈引起し装置と、該穀稈引起し装置により引き起こされた複数条の穀稈を刈り取る刈刃と、該刈刃により刈り取られた穀稈を脱穀装置側へ搬送する穂先側搬送装置と株元側搬送装置とを具備するコンバインの刈取部において、前記複数の引起し装置を連動して駆動する上部横伝動軸を引起し装置の上方に配置し、前記複数の引起し装置を上部横伝動軸から下向きに設けた下向き伝動軸を介して駆動すると共に、前記穂先側搬送装置に、左側部の条の穀稈上部を搬送する左側上部の穂先側搬送機構と、中央部の条の穀稈上部を搬送する中央上部の穂先側搬送機構と、右側部の条の穀稈上部を搬送する右側上部の穂先側搬送機構とを設け、前記右側上部の穂先側搬送機構を前記下向き伝動軸から下向きに設けた伝動軸を介して駆動する一方、前記左側上部の穂先側搬送機構は、刈取部の下部左右方向
の
縦
エンジンから動力が伝達される刈取入力軸を設けた機体側から前方下方に伸びる支持伝動パイプの下部に前記下部横伝動軸を軸装した下部横伝動パイプを取付けて、刈取入力軸の動力を支持伝動パイプ内の縦伝動軸を介して前記下部横伝動軸に伝達し、下部横伝動パイプの側端部に前記側部縦伝動軸を軸装した上方に起立する側部縦伝動パイプの下部を取付けると共に、該側部縦伝動パイプの上部のボックスに前記上部横伝動軸を軸装した上部横伝動パイプの側端部を取付けて、前記下部横伝動軸の動力を前記側部縦伝動軸を経由して前記上部横伝動軸に伝達する構成とし、
　【０００５】
　【発明の実施の形態】
本発明の実施例を図により説明すると、１は機体、２は該機体１の下方位置に設けた走行装置、３は該機体１の上方位置に設けた脱穀区装置、４は該脱穀装置３の前側一側位置に設けた操縦部、５は前記脱穀装置３および前記操縦部４の前方位置に設けた刈取部である。
　【０００６】
　前記刈取部５は、その最前方位置に設けた複数の分草体６と、各分草体６の後方に設けた該分草体６により分草した穀稈を引起す引起装置７と該各引起装置７の後方に設けた複数の掻込装置８と、該掻込装置８により掻込んだ穀稈を切断する刈刃９と、該刈刃９の上方に設けた骨間の株元を搬送する株元側搬送装置１０と、該株元側搬送装置１０の上方に設けた穂先側搬送装置１１等とから構成されている。
　【０００７】
　前記各株元側搬送装置１０と前記各穂先禍世話下搬送装置１１とにより搬送される搬送通路の後側には後側株元搬送装置１２を設け、該後側株元搬送装置１２は前記各株元側搬送装置１０と前記各穂先側下搬送装置１１とにより搬送された穀稈を搬送通路の終端の引継部Ａに集合させ、該引継部Ａに設けた株元引継搬送装置１３と穂機引継搬送装置１４とに引継ぎ、該株元引継搬送装置１３および穂先引継搬送装置１４は、前記脱穀装置３の脱穀室１５に穀稈を供給する穀稈供給装置１６に穀稈を引継ぐ。
　【０００８】
　１７は、機体側より前方に伸びる支持伝動パイプであり、該支持伝動パイプ１７の下部には前記刈取部５のフレームの一部を兼用する下部横伝動パイプ１８を取付ける。前記支持伝動パイプ１７の上部は、左右方向の横筒１９に上下回動自在に取付ける。横筒１９の前記操縦部４の反対側には、ギヤケース２０が設けられ、該ギヤケース２０には刈取部入力プーリ２２を固定した回転軸２３が軸装される。
　【０００９】
　第３図に示したように、前記ギヤケース２０内の回転軸２３には歯車２４を固定し、該歯車２４には前記横筒１９内に軸装した刈取部入力軸２５の一端に固定した歯車２６を噛合わせる。前記刈取部入力軸２５の他端には傘歯車２７を固定し、該傘歯車２７には前記支持伝動パイプ１７内の縦伝動軸２８の上端に固定した傘歯車２９を噛合わせる。
　【００１０】
　前記縦伝動軸２８の下端部は前記下部横伝動パイプ１８内に臨ませて該傘歯車３０には前記下部横伝動パイプ１８内に軸装した下部伝動横軸３１に固定した傘歯車３２を噛合わせる。前記下部横伝動パイプ１８および下部伝動横軸３１は途中部分で左右に分割形成され、メンテナンスが容易にできるようにしている。
　【００１１】
　しかして、前記下部横伝動パイプ１８の左側端部には、上方に起立する側部縦伝動パイプ３３の下端部を固定する。側部
縦
　【００１２】
　前記伝動パイプ３３の上下中間部には側部横伝動パイプ３７の基部を取付け、側部横伝動パイプ３７内には側部横伝動軸３８を軸装する。側部横伝動軸３８の一端は前記側部縦伝動パイプ３３内に臨ませて傘歯車３９を固定し、傘歯車３９には前記側部縦伝動軸３４に固定した傘歯車４０を噛合わせる。
　【００１３】
　前記側部横伝動パイプ３７には側部下向き取付パイプ４１の上部を取付け、該側部下向き取付パイプ４１の下部には前記左側株元側搬送装置１０のケースを固定する。該左側株元側搬送装置１０は左の外側株の進行路の外側に位置する。前記側部下向き取付パイプ４１内には前記株元側搬送装置１０の入力軸４２を軸装し、入力軸４２の上部には傘歯車４３を固定し、傘歯車４３には前記側部横伝動軸３８の中間部に固定した傘歯車４４を噛合わせる。前記入力軸４２の下部は前記左側株元搬送装置１０のケース内に臨ませて駆動歯車４５を固定する。
　【００１４】
　側部横伝動パイプ３７の先端には側部上向き取付パイプ４６の下部を固定し、側部上向き取付パイプ４６の上部には前記穂先側搬送装置１１のうち左側穂先側搬送装置１１のケースを取付ける。前記側部上向き取付パイプ４６内には穂先側補搬送装置１１の入力軸４７を軸装し、入力軸４７の下端部には傘歯車４８を固定し、傘歯車４８には前記側部横伝動軸３８に固定した傘歯車４９を噛合わせ、入力軸４７の上端には前記左側穂先側搬送装置１１を駆動させる駆動歯車５０を固定する。
　【００１５】
　しかして、前記側部縦伝動パイプ３３の上部には、側面視三角形状のボックス５１を
固定
　【００１６】
　前記ボックス５１には左右方向の上部横伝動パイプ６０の左端を固定する。上部横伝動パイプ６０内には左右方向の上部横伝動軸６１を軸装し、上部横伝動軸６１の左端部には傘歯車６２を固定する。前記側部縦伝動軸３４の上端部は前記傘歯車５３よりも上方に突出させて傘歯車６３を固定し、該傘歯車６３を前記傘歯車６２に噛合わせる。
　【００１７】
　前記上部横伝動パイプ６０の中央より左側に寄った位置には、逆さＴ型伝動パイプ６４の上部を固定する。逆さＴ型伝動パイプ６４の縦筒部６５内には縦伝動軸６６を軸装し、縦伝動軸６６の上部には傘歯車６７を固定し、該傘歯車６７には前記上部横伝動軸６１に固定した傘歯車６８を噛合わせる。縦伝動軸６６の下部には傘歯車６９を固定し、該傘歯車６９には前記逆さＴ型伝動パイプ６４の二又筒部７０内の横伝動軸７１に固定した傘歯車７２を噛合わせる。
　【００１８】
　二又筒部７０の左右両側にはそれぞれ前記中央引起装置７、７のケースを取付ける。前記横伝動軸７１の左右両端にはそれぞれ傘歯車７３、７３を固定し、傘歯車７３、７３には入力軸７４、７４の上部にそれぞれ固定した傘歯車７５、７５を噛合わせる。入力軸７４、７４の下部には前記中央引起装置７、７の駆動歯車７６、７６を固定する。
　【００１９】
　前記二又筒部７０には下方に伸びる下向き取付パイプ８０の上部を固定し、該下向き取付パイプ８０内には縦伝動軸８１を軸装しね縦伝動軸８１の上端部には傘歯車８２を固定する。傘歯車８２には前記横伝動軸７１に固定した傘歯車８３を噛合わせる。
　【００２０】
　前記下向き取付パイプ８０の下部には、前記穂先搬送装置１１のうち、左の外側株の進行路より内側に位置する中間穂先側搬送装置１１ａのケースを取付け、該ケース内に臨む部分の縦伝動軸８１には駆動歯車８４を固定する。前記中間穂先側搬送装置１１ａのケースの下面には更に下方に伸びる下向き取付パイプ８５の上部を固定し、下向き取付パイプ８５には前記株元側搬送装置１０のうち左の外側株の進行路により内側に位置する中間株元側搬送装置１０ａのケースを固定し、該ケース内に上方より前記縦伝動軸８１の下部を挿入させて前記中間下部元側搬送装置１０ａの駆動歯車８６を固定する。
　【００２１】
　しかして、前記上部横伝動パイプ６０の中央より右側に寄った位置には、クランク型伝動パイプ８７の上部を固定し、クランク型伝動パイプ８７の縦筒部８８内には縦伝動軸８９を軸装し、縦伝動軸８９の上端部は前記上部横伝動パイプ６０内に臨ませて傘歯車９０を固定する。傘歯車９０には前記上部横伝動軸６１の中間部に固定した傘歯車９１を噛合わせる。
　【００２２】
　クランク型伝動パイプ８７の横筒部９２内には横伝動軸９３を軸装し、該横伝動軸９３の一端には傘歯車９９を固定し、傘歯車９９には前記縦伝動軸８９の下端部に固定した傘歯車１００を噛合わせる。横筒部９２の端部には前記引起装置７のうち中央引起装置７の入力軸１０１の上端部を臨ませ、入力軸１０１の上端部には傘歯車１０２を固定し、傘歯車１０２には前記横伝動軸９３の他端に固定した傘歯車１０３を噛合わせ、入力１０１の下端部には前記引起装置７の駆動歯車１０４を固定する。
　【００２３】
　前記横筒部９２には、下向き伝動パイプ１０５の上部を固定し、下向き伝動パイプ１０５の下部には前記穂先側搬送装置１１のうち右の外側株の進行路より内側に位置する中間穂先側搬送装置１１ａのケースを固定する。前記下向き伝動パイプ１０５内には縦伝動軸１０６を軸装しね縦伝動軸１０６の上端部には傘歯車１０７を固定し、該傘歯車１０７には前記横伝動軸９３の中間部に固定した傘歯車１０８を噛合わせ、縦伝動軸１０６の下部は前記中間穂先側搬送装置１１ａのケース内に臨ませて駆動歯車１０９を固定する。
　【００２４】
　前記上部横伝動パイプ６０の右端部には根下向き伝動パイプ１１０の上部を固定し、伝動パイプ１１０内には縦伝動軸１１１を軸装し、縦伝動軸１１１の上部には傘歯車１１２を固定し、該傘歯車１１２には前記上部横伝動軸６１に固定した傘歯車１１３を噛合わせる。伝動軸１１１の下部には傘歯車１１４を固定し、該傘歯車１１４に前記引起装置７の入力軸１１５には前記引起装置７のうち右側引起し装置７を駆動させる駆動歯車１１７を固定する。
　【００２５】
　また、前記下部横伝動パイプ１８には上向き取付パイプ１１８の上部を取付け、該上向き取付パイプ１１８の上部には前記株元側搬送装置１０のうち右側株元側搬送装置１０のケースを固定する。右側株元側搬送装置１０は右の外側株の進行路により外側に位置する。
　【００２６】
　前記上向き取付パイプ１１８内には前記右側株元側搬送装置１０の入力軸１１９を軸装し、入力軸１１９の上部は前記右側株元側搬送装置１０のケース内に臨ませ、駆動歯車１２０を固定する。なお、入力軸１１９の上端には、前記後側株元搬送装置１２を駆動させる駆動歯車を固定している。
　【００２７】
　図中、１２１はエンジン、１２２はギヤケース、１２３はクラッチ、１２４は支持台、１２５はミッションケースである。第６図〜第１０図は、前記刈刃９の取付構造を示した物であり、前記下部横伝動パイプ１８には願い下部横伝動パイプ１８と平行の刈取部フレーム１２６を固定し、該刈取部フレーム１２６の左右両端には固定側ステー１２７を固定する。
　【００２８】
　前記刈取部フレーム１２６には分草体６を先端に固定した分草杆１２８の基部わ固定し、複数の分草杆１２８のうち中央の分草杆１２８の下面にはステー１２９を固定する。また、刈取部フレーム１２６の中央には支持バー１３０を固定する。
　【００２９】
　前記刈刃９の刈刃台１３１の中央には、ステー１３２と、前記支持バー１３０に係合するフック１３３とを設ける。刈刃９は、係合フック１３３を前記支持バー１３０に係合させ、ステー１３２を前記分草杆１２８の下面のステー１２９に固定し、刈刃台１３１の左右両端を該刈取部フレーム１２６の左右両端の固定側ステー１２７にステー１３４を介して固定し、取付作業を終了する。そのため、一人でも行なえる。
　【００３０】
　また、前記支持バー１３０は刈取部フレーム１２６を塗装する際のフックとして使用できる。
　【００３１】
　【発明の効果】
　本発明は前述のごとく、複数条の穀稈を引き起こす穀稈引起し装置と、該穀稈引起し装置により引き起こされた複数条の穀稈を刈り取る刈刃と、該刈刃により刈り取られた穀稈を脱穀装置側へ搬送する穂先側搬送装置と株元側搬送装置とを具備するコンバインの刈取部において、前記複数の引起し装置を連動して駆動する上部横伝動軸を引起し装置の上方に配置し、前記複数の引起し装置を上部横伝動軸から下向きに設けた下向き伝動軸を介して駆動すると共に、前記穂先側搬送装置に、左側部の条の穀稈上部を搬送する左側上部の穂先側搬送機構と、中央部の条の穀稈上部を搬送する中央上部の穂先側搬送機構と、右側部の条の穀稈上部を搬送する右側上部の穂先側搬送機構とを設け、前記右側上部の穂先側搬送機構を前記下向き伝動軸から下向きに設けた伝動軸を介して駆動する一方、前記左側上部の穂先側搬送機構は、刈取部の下部左右方向
の
縦
エンジンから動力が伝達される刈取入力軸を設けた機体側から前方下方に伸びる支持伝動パイプの下部に前記下部横伝動軸を軸装した下部横伝動パイプを取付けて、刈取入力軸の動力を支持伝動パイプ内の縦伝動軸を介して前記下部横伝動軸に伝達し、下部横伝動パイプの側端部に前記側部縦伝動軸を軸装した上方に起立する側部縦伝動パイプの下部を取付けると共に、該側部縦伝動パイプの上部のボックスに前記上部横伝動軸を軸装した上部横伝動パイプの側端部を取付けて、前記下部横伝動軸の動力を前記側部縦伝動軸を経由して前記上部横伝動軸に伝達する構成とし、
【図面の簡単な説明】
　【図１】側面図
　【図２】平面図
　【図３】伝動機構の縦断正面図
　【図４】断面図
　【図５】平面図
　【図６】平面図
　【図７】側面図
　【図８】平面図
　【図９】側面図
　【図１０】側面図
　【図１１】正面図
　【符号の説明】
　３…脱穀装置、５…刈取部、７…穀稈引起し装置、９…刈刃。